(57)【特許請求の範囲】
【請求項１】
直流電流を所定の周波数でオン及びオフに切替えることにより所定の周波数範囲の第１のパルス直流電圧を発生させるとともに極性切替スイッチの切替えに応じて前記第１のパルス直流電圧の極性を正極又は負極に設定可能な第１のパルス直流電圧発生部と、
被施術者の頭部及び頸部の表面に接触させるＴ字型又はローラ型の電極ヘッドを有し正極又は負極に設定された前記第１のパルス直流電圧を印加することで直流電流を前記頭部及び前記頸部に付与する電極ハンマーと、
前記被施術者の身体の中心軸に対して対称なリンパ系に沿った所定位置に配置され針状体からなる一対の振動子を有する少なくとも２組の振動付与部と、
前記所定位置に応じて周波数を変化させて前記振動子を振動させる第２のパルス直流電圧を発生する第２のパルス直流電圧発生部と、
前記第１のパルス直流電圧発生部及び前記第２のパルス直流電圧発生部を制御する制御部とを備えたことを特徴とする発毛育毛装置。
【請求項２】
前記振動付与部は、前記被施術者の前記身体に接触させる接触面を有し、該接触面に前記振動子が出没する孔部を形成したことを特徴とする請求項１に記載の発毛育毛装置。
【請求項３】
直流電流をオン及びオフに切替えて正極に設定された第３のパルス直流電圧を発生する第３のパルス直流電圧発生部を、さらに備え、
前記振動付与部は、前記第３のパルス直流電圧発生部からの第３のパルス直流電圧を前記所定位置に印加する電極部を有することを特徴とする請求項１または２に記載の発毛育毛装置。
【請求項４】
前記振動付与部は、前記所定位置に対して磁場を発生させる磁気発生部を、さらに備えたことを特徴とする請求項１から３のいずれか一項に記載の発毛育毛装置。
【請求項５】
前記振動付与部は、前記振動子の駆動部材として、前記振動子を所定方向に付勢する付勢手段と、前記第２パルス直流電圧発生部から供給される第２パルス直流電圧の周波数に対応してオン又はオフ作動しオン又はオフ時に前記付勢手段の付勢力に抗して前記振動子を移動させるソレノイド部とを有していることを特徴とする請求項１から４のいずれか一項に記載の発毛育毛装置。
【請求項６】
前記振動付与部を前記被施術者の前記身体に固定する固定部材を、さらに備えたことを特徴とする請求項１から５のいずれか一項に記載の発毛育毛装置。
【請求項７】
前記第１のパルス直流電圧発生部で発生するパルスの周波数は１０Ｈｚであり、前記直流電圧付与電極から印加される前記第１のパルス直流電圧によって流れる直流電流は１２ｍＡであることを特徴とする請求項１から６のいずれか一項に記載の発毛育毛装置。
【請求項８】
請求項１から７のいずれか一項に記載の発毛育毛装置の作動方法であって、
前記制御部の制御により、
前記第１のパルス直流電圧発生部が、正極又は負極の第１のパルス直流電圧を所定の周波数範囲で発生し、該第１のパルス直流電圧を前記電極ハンマーから発生させる工程と、
前記第２のパルス直流電圧発生部が、所定の周波数の第２のパルス直流電圧を発生する工程と、
前記第２のパルス直流電圧の周波数に対応して前記振動付与部の前記振動子が振動する工程と、
を有することを特徴とする発毛育毛装置の作動方法。
【発明の詳細な説明】
【技術分野】
【０００１】
本発明は、毛髪の発毛育毛装置、発毛育毛装置の使用方法、および、発毛育毛エステティック方法に関する。
【背景技術】
【０００２】
薄毛や抜け毛の原因として、皮脂等による毛穴の詰まり、血流の滞りによる老廃物の滞留や栄養不足等が考えられている。そのため、育毛剤やスカルプケア等のシャンプー剤による毛穴の汚れの除去や栄養補給によって頭皮を改善する等の発毛、育毛対策が一般に行われている。しかし、このような対策では目に見えるような効果は期待できず、育毛剤等による過剰な刺激により却って頭皮の状態が悪くなることもあった。また、近年では、内服薬の投与や注射による治療が行われているが、内服薬ではだるさ、眠気、ホルモンバランスの乱れ等を生じるという報告がなされている。また、注射は保険適用外であるため、高価となってしまう。
【０００３】
一方、薬剤等を用いない発毛、育毛対策として、スチーム、ＬＥＤ、オゾン照射装置等を用いた温熱療法等により、血流促進を行う方法がある。また、頭皮に低周波電流を流して血流促進を図る装置（例えば、特許文献１、２参照）、頭部に空気圧を与えて血流促進を図る発毛育毛方法（例えば、特許文献３参照）、身体全体に散在する頭部の血行を改善するツボに加温作用等を与えて刺激することで、毛髪の自然育成を図ろうとする装置（例えば、特許文献４参照）、頭部にキャップを被せて真空状態とし、毛穴から脂肪分等の汚れを吸引するとともに、頭皮に育毛剤を供給する装置（例えば、特許文献５参照）等が開示されている。
【０００４】
しかしながら、温熱療法や特許文献１〜３に記載の低周波電流や空気圧による頭皮への刺激では、頭皮の皮下組織での一時的な血流改善は見られるものの、毛髪の状態の継続的な変化や改善は得にくかった。また、特許文献４に記載の身体のツボに刺激を与える方法では、直接に頭部を刺激していないため、頭皮の血流やリンパの流れを促進させるには十分ではなかった。また、特許文献５に記載の毛穴の汚れの吸引除去では、薄毛の原因が頭皮の汚れではない場合には、効果は期待できなかった。
【０００５】
また、薄毛の原因として、毛穴の状態や頭皮の血流だけでなく、身体全体の血流やリンパの滞り、ホルモンバランス、体質等に因るところが大きいが、上記従来技術のように頭皮や毛髪のみに対する処理は、身体全体の改善を図るものではなく、発毛育毛の継続的で良好な効果を期待できなかった。また、身体のツボのみに対する処理では、頭皮自体の血行促進を図るのに十分ではなかった。
【先行技術文献】
【特許文献】
【０００６】
【特許文献１】実開平４−８３３４６号公報
【特許文献２】特開平８−１０７９３６号公報
【特許文献３】特許第３３０７６３４号公報
【特許文献４】特開平８−２２４２８６号公報
【特許文献５】特許第３３０７６３４号公報
【発明の概要】
【発明が解決しようとする課題】
【０００７】
本発明は、上記の事情に鑑みて為されたもので、毛髪の発毛育毛をより効果的に促進することが可能な発毛育毛装置を提供することを目的とする。
【課題を解決するための手段】
【０００８】
上記の目的を達成するため、本願に係る発毛育毛装置は、直流電流を所定の周波数でオン及びオフに切替えることにより所定の周波数範囲の第１のパルス直流電圧を発生させるとともに極性切替スイッチの切替えに応じて第１のパルス直流電圧の極性を正極又は負極に設定可能な第１のパルス直流電圧発生部と、被施術者の頭部及び頸部の表面に接触させるＴ字型又はローラ型の電極ヘッドを有し正極又は負極に設定された第１のパルス直流電圧を印加することで直流電流を頭部及び頸部に付与する電極ハンマーと、被施術者の身体の中心軸に対して対称なリンパ系に沿った所定位置に配置され針状体からなる一対の振動子を有する少なくとも２組の振動付与部と、所定位置に応じて周波数を変化させて振動子を振動させる第２のパルス直流電圧を発生する第２のパルス直流電圧発生部と、第１のパルス直流電圧発生部及び第２のパルス直流電圧発生部を制御する制御部とを備えたことを特徴とする。
【発明の効果】
【０００９】
本発明によれば、毛髪の発毛育毛をより効果的に促進することが可能となる。
【図面の簡単な説明】
【００１０】
【図１】本願の実施例１に係る発毛育毛装置の概略を示す斜視図である。
【図２Ａ】実施例１に係る発毛育毛装置のハードウェア構成を示すブロック図である。
【図２Ｂ】図１に示される第１振動付与部の一方の振動体の拡大断面図である。
【図３】実施例１に係る発毛育毛装置の振動体を被施術者の身体に取り付ける位置を決定する際に、電極ヘッドを接触させる検知ポイントを示す概略図である。
【図４】Ｏリングテストの方法を説明するための説明図である。
【図５】被施術者の所定位置に第１、第２振動付与部の各振動体を固定した状態を示す概略図である。
【図６】頭頂部の中央エリアに第１パルス直流電圧を印加している状態を示す概略図である。
【図７】第１パルス直流電圧を印加する頭頂部の左側エリアを示す概略図である。
【図８】第１パルス直流電圧を印加する頭頂部の右側エリアを示す概略図である。
【図９】第１パルス直流電圧を印加する主側の側頭部の境目のエリアを示す概略図である。
【図１０】第１パルス直流電圧を印加する従側の側頭部の境目のエリアを示す概略図である。
【図１１】第１パルス直流電圧を印加する主側の側頭部から後頭部にかけてのエリアを示す概略図である。
【図１２】第１パルス直流電圧を印加する従側の側頭部から後頭部にかけてのエリアを示す概略図である。
【図１３】第１パルス直流電圧を印加する目頭から目尻にかけてのエリアを示す概略図である。
【図１４】第１パルス直流電圧を印加する主側の頸部エリアを示す概略図である。
【図１５】第１パルス直流電圧を印加する従側の頸部エリアを示す概略図である。
【図１６】実施例１に係る発毛育毛装置を用いて、発毛育毛処理を被施術者に施したときの頭部の経時変化を説明するための説明図であって、（ａ）は施術前の状態を示し、（ｂ）は約１か月後の状態を示し、（ｃ）は約２か月後の状態を示す。
【図１７】実施例１に係る発毛育毛装置を用いた発毛育毛処理の工程を示すフローチャートである。
【図１８】実施例２に係る発毛育毛装置のハードウェア構成を示すブロック図である。
【発明を実施するための形態】
【００１１】
（実施例１）
＜発毛育毛装置の構成＞
以下、本願の発毛育毛装置の一実施例について、図面を参照して説明する。図１に示すように、本願の実施例１に係る発毛育毛装置１００は、主として、装置本体１０１と、直流電圧付与電極としての電極ハンマー１０と、第１振動付与部２０および第２振動付与部３０と、操作部１０２と、表示部１０３と、電源コード１０４と、等を備えて構成される。また、図２のハードウェア構成のブロック図に示すように、発毛育毛装置１００は、装置本体１０１の内部に、電源部１０５、制御部１０６、第１パルス直流電圧発生部１０７、第２パルス直流電圧発生部１０８等を備えている。
【００１２】
操作部１０２は、発毛育毛装置１００の電源のオンオフや、電圧、周波数、タイマ等の各種設定を行うためのものであり、各種操作ボタンやレバー、タッチパネル等から構成される。表示部１０３は、操作部１０２により入力された設定内容や、発毛育毛装置１００の作動状態等を表示するものであり、液晶モニタ等から構成される。
【００１３】
電源部１０５には、電源コード１０４を介して電力が供給される。この電源部１０５から、発毛育毛装置１００の制御部１０６、第１パルス直流電圧発生部１０７、第２パルス直流電圧発生部１０８等に電力が供給される。制御部１０６は、発毛育毛装置１００の動作全体を制御するものであり、ＣＰＵ、各種データや各種プログラムを記憶するＲＯＭ、ＲＡＭおよびＨＤＤ等からなる記憶部等を備えている。制御部１０６のＣＰＵが、記憶部に格納されたプログラムを読み出して実行することで、発毛育毛装置１００の処理が実行される。
【００１４】
第１パルス直流電圧発生部１０７は、操作部１０２で入力された設定情報に基づいて、制御部１０６の制御により、第１パルス直流電圧を発生させ、電極ハンマー１０に供給する。第１パルス直流電圧発生部１０７は、例えば、ゼロ電位の直流電流と、正電位の直流電流とからなる矩形波を発生させて、正極の第１パルス直流電圧を発生させる。または、ゼロ電位の直流電流と、負電位の直流電流とからなる矩形波を発生させて、負極の第１パルス直流電圧を発生させる。このように、発生させる第１パルス直流電圧の極性を正極と負極とで反転させることが可能となっている。この第１パルス直流電圧を印加することにより流れるパルス電流は、１ｍＡ〜１２ｍＡの微弱電流が好ましい。また、第１パルス直流電圧の周波数としては、１Ｈｚ〜１５０Ｈｚが好ましい。直流電流の強さや周波数は、被施術者の体調や好適な振動の強弱等に応じて、これらの範囲内で適宜調整して設定することが好ましいが、実施例１では、１２ｍＡ、１０Ｈｚとしている。このような微弱電流を用いることで、被施術者の頭部および頸部に適度な電気刺激を与えて、頭部の血液やリンパの流れを十分に促進することが可能である。
【００１５】
第２パルス直流電圧発生部１０８は、操作部１０２で入力された設定情報に基づいて、制御部１０６の制御により、第２パルス直流電圧を発生させ、第１振動付与部２０および第２振動付与部３０に供給する。第２パルス直流電圧発生部１０８は、第２パルス直流電圧を発生させるため、例えば、ゼロ電位の直流電流と、正電位の直流電流とからなる矩形波を発生させるものであってもよいし、ゼロ電位の直流電流と、負電位の直流電流とからなる矩形波を発生させるものであってもよいし、正電位の直流電流と、負電位の直流電流とからなる矩形波を発生させるものであってもよい。また、被施術者の体調や好適な振動の強弱に応じて、操作部１０２での入力に基づいて、第２パルス直流電圧発生部１０８で発生する第２パルス直流電圧の周波数を適宜変化させる構成となっている。この第２パルス直流電圧の周波数は、１Ｈｚ〜２０Ｈｚの間で変化させることが好ましく、１０Ｈｚ〜１４Ｈｚの間で変化させることがより好ましい。また、第２パルス直流電圧も、被施術者の体調や好適な振動の強弱に応じて、数Ｖ〜数十Ｖの間で適宜調整してもよいが、実施例１では、２４Ｖとしている。このような第２パルス直流電圧を用いることで、第１、第２振動付与部２０，３０を介して、被施術者Ｍの身体に十分な振動を与えることが可能である。
【００１６】
直流電圧付与電極としての電極ハンマー１０は、被施術者Ｍの頭部Ｈおよび頸部Ｎ（図３参照）に第１パルス直流電圧を印加してパルス電流を付与するものであり、電極ヘッド１１と、把持部１２と、極性切替スイッチ１３と、を備えて構成される。電極ヘッド１１は、導電性を有するＴ字型の金属棒からなり、被施術者Ｍの頭部Ｈおよび頸部Ｎの表面に接触させながら、頭部Ｈに沿って移動させることで、頭部Ｈおよび頸部Ｎに対して第１パルス直流電圧を印加する。把持部１２は、施術者が電極ハンマー１０を操作するために、施術者が手で把持する部位で、棒状に形成されている。この把持部１２の側面には、電極ヘッド１１から印加する第１パルス直流電圧の極性を、正極または負極に反転させる極性切替スイッチ１３が設けられている。この極性切替スイッチ１３を切替えることにより、被施術者Ｍの身体の状態や第１パルス直流電圧を印加する部位に応じて、電極ヘッド１１から印加する第１パルス直流電圧を、正極、または、負極に切替えることができる。なお、電極ヘッド１１は、被施術者Ｍの頭部Ｈに接触させて第１パルス直流電圧を印加することができるものであれば、実施例１のＴ字型に限定されることはなく、例えば、ローラ型、ボール型等であってもよい。把持部１２も、棒状に限定されることはなく、安定して把持することが可能であれば、他の何れの構成であってもよい。
【００１７】
また、本実施例では、電極ヘッド１１により被施術者Ｍの頭部Ｈおよび頸部Ｎに第１パルス直流電圧を印加する際の電位の基準点を定めるため、丸型電極からなるアース電極１５を備え、被施術者Ｍに把持させている。なお、アース電極１５は、丸型電極に限定されることはなく、アース棒であってもよい。また、被施術者Ｍ自身の身体がベッドを介して大地と接続し、アースの役割を担っているが、アース電極１５を設けることで、電極ヘッド１１から頭部Ｈおよび頸部Ｎへのパルス電流の付与をより効果的に行うことができる。
【００１８】
第１、第２振動付与部２０，３０は、被施術者Ｍの身体（胴体Ｂ、図５参照）に振動を付与するものであり、それぞれ、一対の振動体２１（２１ａ，２１ｂ）、３１（３１ａ，３１ｂ）を備えている。図２Ｂを用いて振動体２１ａについて説明すると、この振動体２１ａは、半球型の本体部２９ａに、被施術者Ｍの身体に接触させる平坦な円形の接触面２３ａを設けている。この接触面２３ａに開口した孔部２５ａから、被施術者Ｍの身体に対して突没して振動する複数の針状体からなる振動子２４ａを設けている。本体部２９ａ内には、振動子２４ａの駆動部材としてのバネ部材２６ａとソレノイド部２７ａとが収容されている。振動子２４ａは、バネ部材２６ａにより本体部２９ａ内に収納される方向に付勢され、ソレノイド部２７ａにより、バネ部材２６ａの付勢力に抗して孔部２５ａから突出する。第２パルス直流電圧発生部１０８から供給される第２パルス直流電圧の周波数に対応してソレノイド部２７ａがオンオフ作動することで、振動子２４ａが第２パルス直流電圧の周波数と同じ振動周波数で振動する。また、本体部２９ａに、ベルト通し孔を設けたベルト通し部２８ａを設けている。なお、振動体２１ｂ，３１ａ，３１ｂも、振動体２１ａと同じ構成を有しているため、説明を省略する。
【００１９】
このような振動体２１ａ，２１ｂ，３１ａ，３１ｂによる振動を、被施術者Ｍの身体に与えることで、体内の変化をより促進することが可能となる。なお、第１、第２振動付与部２０，３０、振動体２１，３１、振動子（例えば、図１、図２Ｂの２４ａ）の構成は、実施例１の構成に限定されることはなく、第２パルス直流電圧の周波数に対応して振動体２１，３１の振動子（２４ａ）を振動させて、身体に振動を付与することができるものであれば、他の何れの構成であってもよい。また、振動付与部が２組に限定されることもなく、３組以上の振動付与部を用いることもできる。
【００２０】
第１、第２振動付与部２０，３０の振動体２１ａ，３１ａと、振動体２１ｂ，３１ｂとは、身体の中心軸を介して対称に配置することで、被施術者Ｍの身体に付与した振動を効率的に作用させることができる。また、血流やリンパ液の循環を促進するため、各振動体２１ａ，３１ａ，２１ｂ，３１ｂは、血管系やリンパ系に沿って胴体Ｂの所定位置、好ましくは、ツボの位置に配置する。また、実施例１では、図５に示すように、各振動体２１ａ，３１ａ，２１ｂ，３１ｂのベルト通し孔（２８ａ等）に固定部材としてベルト部材４０を取り付け、このベルト部材４０で、所定位置に配置した各振動体２１ａ，３１ａ，２１ｂ，３１ｂを、被施術者Ｍの胴体Ｂに固定している。このようにベルト部材４０を用いることで、身体の横や、衣服の上からでも各振動体２１ａ，３１ａ，２１ｂ，３１ｂを安定して固定することができる。ただし、固定部材は、ベルト部材４０に限定されることはなく、使用形態や使用目的に応じて、吸盤や粘着シート等を用いることもできる。
【００２１】
また、電極ハンマー１０、アース電極１５、第１振動付与部２０、および、第２振動付与部３０は、それぞれコード１４，１６，２２，３２によって装置本体１０１と接続されている。各コード１４，１６，２２，３２には、一端にプラグ（図示せず）が設けられており、このプラグを装置本体１０１のジャック（図示せず）に差し込むことで、電極ハンマー１０、アース電極１５、第１振動付与部２０、第２振動付与部３０と装置本体１０１とを電気的に接続することができる。また、第１、第２振動付与部２０,３０のコード２２，３２は、他端側が分岐してそれぞれ２本の分岐コード２２ａ，２２ｂ，３２ａ，３２ｂが接続され、各分岐コード２２ａ，２２ｂ，３２ａ，３２ｂの先端に、振動体２１ａ，２１ｂ，３１ａ，３１ｂが各々接続されている。
【００２２】
＜発毛育毛装置の使用例＞
上述のように構成された発毛育毛装置１００の動作の一例を、図１７のフローチャート、および、図３〜図１５を参照しながら説明する。まず、準備として、操作部１０２を操作して、発毛育毛装置１００の電源をオンする。被施術者Ｍは、例えば、施術台（ベッド）に、仰向けになって横臥し、アース電極１５を把持する。また、施術に当たり、必要に応じて、被施術者Ｍの頭部Ｈに、養毛剤、アロマオイル等を塗布してもよく、第１パルス直流電圧の印加によって、これらが頭皮にイオン導入され、頭皮への浸透を促進することができる。特に、体調に応じた好適なものを選択することで、発毛育毛効果をより向上させることができる。また、クリームやジェル等の潤滑油を塗布してもよく、頭部Ｈや頸部Ｎに沿って電極ヘッド１１を円滑に移動させることが可能となる。
【００２３】
以上のように、準備が整ったら、被施術者Ｍの身体の状態に応じ第１、第２振動付与部２０，３０を取り付けるため、図１７のステップＳ１〜ステップＳ４の処理を実行する。各処理では、電極ハンマー１０の電極ヘッド１１を、被施術者Ｍの所定の検知ポイントに接触させ、正極、負極の第１パルス直流電圧を印加して、各極性の第１パルス直流電圧に対する身体の反応を見て、筋肉の緊張状態を測定する。この身体の反応は、筋硬度計や筋電図測定器等の適宜の測定器具を用いてもよいが、本実施例ではＯリングテストを応用した筋力テスト（以下、「ゼロポイントテスト」と呼ぶ）によって検知する。Ｏリングテストは、大村恵昭氏により提案されたもので、医療機器等を使用することなく、被施術者Ｍの身体の中で異常を生じた部位を検知する方法である。図４に、Ｏリングテストの方法を具体的に示した。図４に示す１は、Ｏリングテストを受ける被施術者Ｍの手であり、２ａ，２ｂは、Ｏリングテストを行う施術者の右手と左手である。被施術者Ｍは、図４に示すように、親指と人差し指でＯ字状の輪、すなわち、Ｏリングを作る。このＯリング中に、施術者の右手２ａおよび左手２ｂの親指と人差し指とを差し入れ、各親指と人差し指とでそれぞれＯリングを作り、被施術者のＯリングを左右方向に引っ張る。このとき、被施術者の親指と人差し指とが離れて開いた状態となるか、閉じた状態のままであるかで、筋肉の緊張状態を検知し、身体の状態を知ることができる。このＯリングテストを応用したゼロポイントテストでは、親指と中指とで作成したＯリングを用いて筋肉の緊張状態を測定する。
【００２４】
このＯリングテストを応用したゼロポイントテストを用いて、図１７のフローチャートに示すように、まず、被施術者Ｍの胴体Ｂに印加する第１パルス直流電圧の主となる極性を決定する（ステップＳ１）。この主系の極性の決定のため、被施術者Ｍは、片手の親指と中指とでＯリングを作っておく。施術者は、被施術者Ｍの胴体Ｂの胸部中心付近にある検知ポイントＰ１の「だん中」のツボ（図３参照）に、電極ヘッド１１を接触させる。極性切替スイッチ１３を操作して、電極ヘッド１１から、検知ポイントＰ１に対して、正極の第１パルス直流電圧を印加する。この正極の第１パルス直流電圧の印加状態で、施術者は、被施術者Ｍに対して、上述のような方法でゼロポイントテストを実施し、指の開きで筋肉の緊張状態を測定する。指が離れずにＯリングが開かない場合（陽性）には、正極の第１パルス直流電圧に反応して筋肉が硬直している（正極の電圧に対する防御反応が大きい）ことから、正極の第１パルス直流電圧を印加して筋肉の緊張を緩めるため、主となる極性を正極とする。
【００２５】
一方、指が離れてＯリングが開いた場合には、正極に対して反応がなくリラックス状態であるとして、極性切替スイッチ１３を操作して極性を負極に反転させ、電極ヘッド１１から、検知ポイントＰ１に対して、負極の第１パルス直流電圧を印加する。この負極の第１パルス直流電圧の印加状態で、再度ゼロポイントテストを実施し、Ｏリングが開かない場合（陽性）、主となる極性を負極とする。以下、ステップＳ１で決定した正極または負極の主となる極性を「主系」と呼び、主系とは反対の従となる極性を「従系」と呼ぶ。なお、正極、負極のいずれの第１パルス直流電圧を印加しても、Ｏリングが開く場合または、Ｏリングが閉じる場合は、被施術者Ｍの指力の大小を比較して、指力がより大きく反応する極性を主系とし、他方を従系とする。
【００２６】
上記ステップＳ１で、極性が決定したら、次に、ステップＳ２で左右を決定する。極性切替スイッチ１３を操作してステップＳ１で決定した主系の極性に設定し、図３に示す被施術者Ｍの胸の右下の検知ポイントＰ２の「期門」のツボに電極ヘッド１１を接触させ、主系の極性の第１パルス直流電圧を印加し、ゼロポイントテストを実施する。同様に、被施術者Ｍの胸の左下の検知ポイントＰ３の「期門」のツボに電極ヘッド１１を接触させ、主系の極性の第１パルス直流電圧を印加し、ゼロポイントテストを実施する。このゼロポイントテストで、より強く反応した側、具体的には、検知ポイントＰ２，Ｐ３のうち、Ｏリングが開かずに閉じたままの状態となる側を主側とし、Ｏリングが開いた状態となる側を従側とする。すなわち、検知ポイントＰ２で反応した場合は、「右主側」とし、検知ポイントＰ３で反応した場合は、「左主側」とする。
【００２７】
次に、ステップＳ３では、上下（「上型」か「下型」か）を決定する。この「上型」とは、上半身の循環不全を意味し、「下型」とは、下半身の循環不全を意味する。上記ステップＳ２で、例えば、「左主側」であるとされた場合、図３に示す被施術者Ｍの左手首の内側の検知ポイントＰ４の「大陵」のツボおよび外側の検知ポイントＰ５の「陽池」のツボに電極ヘッド１１を接触させ、ステップＳ１で決定した主系の極性の第１パルス直流電圧を印加し、ゼロポイントテストを実施する。検知ポイントＰ４は、下型（下を主とする）のポイントで、検知ポイントＰ５は、上型（上を主とする）のポイントである。検知ポイントＰ４で、より強く反応した（Ｏリングが開かない）場合には、「下型」とし、検知ポイントＰ５で、より強く反応した場合には、「上型」とする。なお、ステップＳ２で、「右主側」であるとされた場合には、右手首の内側と外側との検知ポイントＰ４，Ｐ５に対して、同様に主系の極性の第１パルス直流電圧を印加して、ゼロポイントテストを行い、その反応に応じて「上型」か「下型」か、を決定する。
【００２８】
ステップ３で上下が決定したら、次に、振動体２１，３１を配置する、被施術者Ｍの身体の状態に適したツボを決定するための処理を行う（ステップＳ４）。まず、ステップＳ３で「上型」とされた場合、図３の検知ポイントＰ６（被施術者Ｍの喉付近）に、電極ヘッド１１を接触させて主系の極性の第１パルス直流電圧を印加して、ゼロポイントテストを実施する。また、検知ポイントＰ７（被施術者の下腹部）においても、同様に、主系の極性の第１パルス直流電圧を印加してゼロポイントテストを実施する。検知ポイントＰ６は、「廉泉」のツボであり、「上型」の被施術者Ｍの場合で「廉泉」に対して反応が大きい（Ｏリングが開かない）場合には、上半身のリンパ液の循環が滞っているなど、リンパ系に問題がある（リンパ上型）。そのため、第１、第２振動付与部２０，３０で上半身のリンパ系を改善するツボに振動を与えるようにする。検知ポイントＰ７は、「気海」のツボであり、「上型」の被施術者Ｍの場合で「気海」に対して反応が大きい（Ｏリングが開かない）場合には、身体の粘膜等が炎症を起こし、アレルギーに関して問題がある（アレルギー型）。そのため、第１、第２振動付与部２０，３０でアレルギーを改善するようなツボに振動を与えるようにする。
【００２９】
また、ステップＳ３で「下型」とされた場合、図３の検知ポイントＰ６の「廉泉」のツボに電極ヘッド１１を接触させて、主系の極性の第１パルス直流電圧を印加して、Ｏリングテストを実施する。「下型」の被施術者Ｍの場合で、「廉泉」に対して反応が大きい（Ｏリングが開かない）場合には、下半身のリンパ液の循環が滞っているなど、リンパ系に問題がある（リンパ下型）。そのため、第１、第２振動付与部２０，３０で下半身のリンパ系を改善するようなツボに振動を与えるようにする。「下型」の被施術者Ｍの場合で、「気海」に対して反応が大きい（Ｏリングが開かない）場合には、ホルモンバランスの乱れなど、ホルモン系に問題がある（ホルモン型）。そのため、第１、第２振動付与部２０，３０でホルモン系を改善するようなツボに振動を与えるようにする。以上のようにステップＳ４で振動を付与するのに好適なツボを特定することで、発毛育毛の補助効果をより向上させることが可能となる。
【００３０】
以上のように、ステップＳ１〜ステップＳ４で、被施術者Ｍの身体の状態を把握し、ツボが決定したら、ステップＳ５に進む。このステップＳ５で、被施術者Ｍの胴体ＢのステップＳ４で特定されたツボに、第１、第２振動付与部２０，３０の一方の振動体２１ａ，３１ａ，および他方の振動体２１ｂ，３１ｂを対称に取り付ける。例えば、「上型」で「アレルギー型」の被施術者Ｍの場合を想定する。この被施術者Ｍの場合、体の粘膜や、膜が炎症状態にあり、肌や皮膚の状態が悪化し髪に影響が出たと考えられるため、図５に示すように、左右の肘下外側の「手三里」のツボに第１振動付与部２０の一対の振動体２１ａ，２１ｂを対称に配置し、左右の膝下外側の「足三里」のツボに第２振動付与部３０の一対の振動体３１ａ，３１ｂを対称に配置し、それぞれをベルト部材４０で被施術者Ｍの胴体Ｂに固定する。この手三里・足三里のツボは、膜の炎症を抑える効果のあるツボである。皮膚（頭皮を含む）表面の膜や、筋肉の膜（筋膜）、骨の膜（骨膜）、鼻や喉、気管の表面や胃腸の粘膜などが炎症を起こしている際に、アレルギー型の反応が見られる。この場合は、体内で起こっている炎症症状修復のため血液やリンパ液は炎症を起こしている患部に集まるため、全身としては血行不全やリンパ循環不全が起こると考えられ、これにより毛髪を取り囲む環境も悪くなり、新陳代謝が低下するため、膜の炎症を抑える効果のある手三里・足三里のツボに振動体２１，３１を配置し、環境改善を図るものである。
【００３１】
なお、ここでは、第１振動付与部２０を左右の「手三里」のツボに、第２振動付与部３０を左右の「足三里」のツボに配置しているが、本願がこれに限定されることはなく、第１、第２振動付与部２０，３０の一方の振動体２１ａ，３１ａと他方の振動体２１ｂ，３１ｂとが、身体の中心軸を介して左右対称に配置されればよい。したがって、第２振動付与部３０を左右の「手三里」のツボに、第１振動付与部２０を左右の「足三里」のツボに配置してもよく、同様の効果が得られる。以下で説明する他の「リンパ上型」、「リンパ下型」、「ホルモン型」でのツボへの配置においても同様である。
【００３２】
「リンパ上型」の被施術者Ｍの場合、上半身のリンパ液の循環が悪く、次第に毛髪に栄養が届かなくなっていると考えられるため、左右の腋窩リンパ節および左右の肘前面の「孔最」のツボに、振動体２１ａ，２１ｂ，３１ａ，３１ｂを対称に取り付ける。「リンパ下型」の被施術者Ｍの場合、下半身のリンパ液の循環が悪く、次第に毛髪に栄養が届かなくなっていると考えられるため、左右の鼡径リンパ節および左右のひざ裏の「委中」のツボに、振動体２１ａ，２１ｂ，３１ａ，３１ｂを対称に取り付ける。腋窩・孔最（リンパ上型）、鼡径・委中（リンパ下型）は、すべてリンパ節がある位置である。リンパ型の場合、風邪で急性にリンパ節がはれた場合や、擦り傷などのけがによる細菌侵入、慢性的な扁桃腺肥大などが見られる。リンパは免疫機能のほかに体内の老廃物を運ぶ手助けも行っているため、老廃物が体内に蓄積している時にも見られる反応である。リンパ節が腫れると、全身でもリンパ液の循環不全から、毛髪を取り囲む環境が老廃物蓄積により悪化すると考えられる。このため、リンパ節の腫れを軽減し、リンパ液の循環を改善させるため、振動体２１，３１をリンパ節のある場所へ配置する。
【００３３】
「下型」で「ホルモン型」の被施術者Ｍの場合、ホルモンバランスの乱れにより、抜け毛や、髪の成長に影響を与えていると考えられるため、左右の「帯脈」のツボおよび左右の「委中」のツボに、振動体２１ａ，２１ｂ，３１ａ，３１ｂを対称に取り付ける。帯脈・委中のツボは、ホルモンバランスを整えるのに効果のあるツボである。女性の更年期障害や、生理時、男性ホルモン過剰分泌時など、体内でホルモンバランスの乱れがある際に見られる反応である。毛髪では抜け毛に関与するとされるホルモン（５αデヒドロテストステロン等）の過剰分泌時に反応があると考えられる。ホルモンバランスが崩れると、代謝機能低下、抗炎症作用低下により、身体は炎症状態になり（更年期障害のほてりやのぼせ等）、炎症症状修復のため血液やリンパ液は炎症を起こしている患部に集まるため、全身としては血行不全となる。結果的に、アレルギー型と同様に血行不全が起きていると考えられるが、原因がホルモンバランス不全のため、ホルモンバランスを整える帯脈・委中のツボに振動体２１，３１を配置し、環境改善を図るものである。
【００３４】
以上、被施術者Ｍの胴体Ｂに、第１、第２振動付与部２０，３０の振動体２１ａ，２１ｂ，３１ａ，３１ｂを固定したら、ステップＳ６で、操作部１０２を操作して、第２パルス直流電圧発生部１０８を作動し、各振動体２１ａ，２１ｂ，３１ａ，３１ｂに第２パルス直流電圧を供給する。これにより、第２パルス直流電圧の周波数に対応して針状の振動子（２４ａ）が振動して、被施術者Ｍの胴体Ｂの所定のツボに、振動が付与される。なお、「リンパ上型」および「リンパ下型」の場合は、周波数を１０Ｈｚとするのが望ましく、「アレルギー型」および「ホルモン型」の場合は、周波数を１４Ｈｚとするのが望ましく、体調に応じた、より効果的な振動を付与することができる。
【００３５】
このように、実施例１では、２組の第１、第２振動付与部２０，３０を用いて、被施術者Ｍの身体のリンパ系に沿って、身体の状態に応じて好適なツボに配置した振動体２１ａ，３１ａ，２１ｂ，３１ｂを介して、被施術者Ｍの身体の所望のツボに振動を付与している。また、この振動も、針状の振動子（２４ａ）を身体の状態に応じた周波数で振動させて付与しているため、被施術者Ｍの体内の変化を促すのに十分な振動を与えることが可能となる。この身体の状態に応じたツボへの十分な刺激により、血液やリンパ液の循環を促進することができ、全身の老廃物が体外に排出され易くなるとともに、身体の状態を改善することで、これらの効果を持続させることができる。
【００３６】
また、上記ステップＳ６により、被施術者Ｍの胴体Ｂへの振動の付与を行いつつ、ステップＳ７で、第１パルス直流電圧発生部１０７を作動して、電極ハンマー１０に第１パルス直流電圧を供給し、電極ハンマー１０の電極ヘッド１１を介して、被施術者Ｍの頭部Ｈおよび頸部Ｎに対して、第１パルス直流電圧を印加する。このように、頭部Ｈおよび頸部Ｎに対する第１パルス直流電圧の印加と、身体のツボに対する振動の付与とを並行して行うことで、頭部Ｈだけに電圧を印加した場合に比べて、発毛育毛促進において顕著な効果を得ることができる。
【００３７】
以下、図６〜図１５を用いて、頭部Ｈおよび頸部Ｎへの第１パルス直流電圧の印加処理の手順を説明する。この図６〜図１５に示す処理での第１パルス直流電圧の印加時間は、トータルで３０〜４０分とすることで、血液やリンパ液の流れを効果的に促進することが可能となる。また、頭部Ｈおよび頸部Ｎに対して第１パルス直流電圧を印加することにより流れる電流は、実施例１では１２ｍＡの微弱電流である。このような微弱電流を頭部Ｈおよび頸部Ｎに付与することで、皮下血管の新生、皮下細胞内のイオン調整を効果的に促進することができる。
【００３８】
まず、施術者は、電極ハンマー１０の把持部１２を把持し、極性切替スイッチ１３を操作して、上記ステップＳ１で決定した主系の極性（ここでは、正極）に切替える。そして、図６に示すように、被施術者Ｍの頭部Ｈの頭頂部５０を左、中央、右の３エリア５０ａ，５０ｂ，５０ｃに分割する。この３等分した頭頂部５０において、まず、図６に示す中央のエリア５０ｂに、電極ヘッド１１を接触させる。そして、図６に白抜き矢印で示すように、生え際から、後頭部に向かって、電極ヘッド１１を移動させることで、頭頂部５０の中央のエリア５０ｂに主系である正極の第１パルス直流電圧を印加する。
【００３９】
次に、３分割した頭頂部５０のうち、ステップＳ２で決定した主側に、電極ヘッド１１を介して第１パルス直流電圧を印加する。左主側の場合は、図７に示すように、頭頂部５０の左側のエリア５０ａに電極ヘッド１１を接触し、白抜き矢印で示すように、生え際から後頭部に向かって電極ヘッド１１を移動させることで、頭頂部５０の左側のエリア５０ａに対して主系である正極の第１パルス直流電圧を印加する。このように、主側への第１パルス直流電圧の印加を行ったら、次に、図８に示すように、従側である右側のエリア５０ｃに、電極ヘッド１１を介して主系である正極の第１パルス直流電圧を印加する。このように、頭頂部５０に対して、中央エリア５０ｂ、主側である左側エリア５０ａ、従側である右側エリア５０ｃの順に、主系の極性である正極の第１パルス直流電圧を印加することで、頭頂部５０の血液やリンパ液の流れを促進するとともに、リンパ系に沿って頭頂部５０に滞った老廃物を後頭部方向に流すことができる。
【００４０】
頭頂部５０への第１パルス直流電圧の印加が終了したら、次に、この頭頂部５０の主側のエリア（ここでは、左側エリア５０ａ）よりも更に外側のエリア５１に、従系である負極の第１パルス直流電圧を印加する。それには、極性切替スイッチ１３を操作して、電極ヘッド１１から印加する第１パルス電圧の極性を従系（ここでは、負極）に切替える。左側エリア５０ａよりも外側のエリア５１、より詳細には、頭頂骨（頭頂部）と側頭骨（側頭部）との境目に、電極ヘッド１１を接触させる。この接触状態で、図９に矢印で示すように、生え際から後頭部に向かって電極ヘッド１１を移動させることで、当該エリア５１に従系である負極の第１パルス直流電圧を印加する。次に、図１０に示すように、従側である右側エリア５０ｃよりも外側のエリア５２の、頭頂骨と側頭骨との境目に、電極ヘッド１１を接触させる。この接触状態で、図１０に矢印で示すように、前方から後頭部に向かって電極ヘッド１１を移動させることで、頭部Ｈの当該エリア５２に従系である負極の第１パルス直流電圧を印加する。このように、従系の極性である負極の第１パルス直流電圧を、頭頂骨（頭頂部）と側頭骨（側頭部）との境目に沿って、前頭部から後頭部に向かって印加することで、当該エリア５１，５２の血液やリンパ液の流れを促進するとともに、リンパ系に沿って側頭部の老廃物を後頭部方向に流すことができる。
【００４１】
次に、電極ヘッド１１からの第１パルス直流電圧の極性を、主系の正極に切り替える。図１１に矢印で示すように、主側である左側の側頭骨（側頭部）から後頭部に向かって電極ヘッド１１を移動させることで、この側頭骨（側頭部）から後頭部にかけてのエリア５３に、主系である正極の第１パルス直流電圧を印加する。次いで、電極ヘッド１１からの第１パルス直流電圧の極性を、従系の負極に切り替える。図１２に矢印で示すように、従側である右側の側頭骨から後頭部に向かって電極ヘッド１１を移動させることで、この側頭骨（側頭部）から後頭部にかけてのエリア５４に、従系である負極の第１パルス直流電圧を印加する。以上の処理により、当該エリア５３，５４の血液やリンパ液の流れを促進するとともに、リンパ系に沿って頸部のリンパ節方向に老廃物を流すことができる。
【００４２】
次に、電極ヘッド１１からの第１パルス直流電圧の極性を、従系の負極に切り替え、図１３に示すように、主側である左側の眉に沿ったエリア５５において、目頭から目尻に向かって電極ヘッド１１を移動させ、従系である負極の第１パルス直流電圧を印加する。次に、電極ヘッド１１からの第１パルス直流電圧の極性を、主系の正極に切り替え、図１３に示すように、従側である右側の眉に沿ったエリア５６において、目頭から目尻に向かって電極ヘッド１１を移動させ、主系である正極の第１パルス直流電圧を印加する。この処理により、目頭から目尻にかけてエリア５５，５６の血液やリンパ液の流れを促進するとともに、リンパ系に沿って老廃物をリンパ節方向に流すことができる。
【００４３】
上記図６〜図１３に示す各エリア５０〜５６への第１パルス直流電圧の印加処理を行った上で、毛髪の特に薄いエリアや、頭皮が硬いエリアがあった場合、当該エリアに対して、従系である負極の第１パルス直流電圧を印加する。このように、従系である負極の第１パルス直流電圧を印加することにより、皮下の電位が反転して、毛髪の特に薄い部分や、頭皮が硬い部分をより刺激して、当該部分での血液やリンパ液の流れをより効果的に促進することができる。
【００４４】
最後に、図１４、図１５に示すように、被施術者Ｍの頸部（首）Ｎに電流を付与して、頸部Ｎの血液やリンパ液の流れを促進し、頭部Ｈから流れてきた血液やリンパ液を胴体Ｂに向かって流す。まず、電極ヘッド１１からの第１パルス直流電圧を主系である正極に切替え、図１４に示すように、主側である左側の頸部エリア５７（頸部Ｎ）に対して、上から下に向かって電極ヘッド１１を移動させることで、主系である正極の第１パルス直流電圧を印加する。次に、電極ヘッド１１からの第１パルス直流電圧を従系である負極に切替え、図１５に示すように、従側である右側の頸部エリア５８（頸部Ｎ）に対して、上から下に向かって電極ヘッド１１を移動させることで、従系である負極の第１パルス直流電圧を印加する。このように、左右両側の頸部Ｎに対して上から下に向かって、リンパの流れに沿って第１パルス直流電圧を印加することにより、血液やリンパ液の流れを促進するとともに、頭頂部５０側からの老廃物の胴体Ｂ方向（リンパ節方向）への排出を促進することができる。
【００４５】
このように、頭頂部５０から頸部エリア５７，５８に向かって流された血液およびリンパ液、これらに従って排出された老廃物は、被施術者Ｍの胴体Ｂに向かって流れる。例えば、特許文献１〜３に記載の発明のように、従来は、頭部のみ局所的に刺激するものであり、身体全体の体内変化までは対応していなかったため、頭部の血行等は一時的に改善されるものの、継続的な発毛育毛効果が図れなかった。また、特許文献４では、頭部のツボのみに刺激を与えるだけで、頭皮全体に十分な刺激を付与するものではなかった。これに対して、実施例１では、頭部Ｈ全体に万遍なく電流を付与するだけでなく、頸部Ｎにもリンパの流れに沿って電流を付与することで、頭部Ｈと胴体Ｂとをつなぐ頸部Ｎの血液やリンパ液の流れを促進して、頭部Ｈの血液等を胴体Ｂ側（心臓側）に円滑に流すことができる。また、この頭部Ｈと頸部Ｎへ電流を付与すると同時に、第１、第２振動付与部２０，３０により、被施術者Ｍの胴体Ｂのツボに体調に応じた所定の周波数の振動を付与して、身体全体の血液やリンパ液の流れを促進している。その結果、頭部Ｈから血液やリンパ液によって流された老廃物の体外への排出も促進され、毛髪の発毛育毛の促進効果を向上させることができるとともに、全身の状態も改善されて、頭皮の血液やリンパ液の良好な流れといった頭皮の改善状態をも維持することができる。
【００４６】
以上、本願の実施例１によれば、振動付与部の振動子を介して身体の状態に応じた身体の所定位置に振動を付与しつつ、電極ヘッドを、頭部および頸部の表面に接触させながら該頭部および頸部に沿って移動させることで、電極ヘッドを介して頭部および頸部に正極または負極の第１パルス直流電圧を印加している。これにより、皮下血管の新生や皮下細胞内のイオン調整を促し、頭皮の状態を改善して頭皮の血液やリンパ液の流れを促進するだけでなく、身体全体の血液やリンパ液の流れを促進することができる。その結果、頭皮の血液やリンパ液の流れ等、頭皮の良好な状態を保持して、毛髪の発毛育毛をより効果的に促進することができる。
【００４７】
＜発毛育毛実験＞
以下、本願の実施例１に係る発毛育毛装置１００を用いて、２２人の被験者（被施術者）Ｔ０１〜Ｔ２２について、実施例１で説明した発毛育毛処理を実施し、発毛育毛効果を検証した。被験者（被施術者）Ｔ０１〜Ｔ２２の毛髪の症状と、同処理を行った後の効果を、下記表１に示した。下記表１中、Ｍは男性を表し、Ｆは女性を表す。また、実施期間の年度は、２０１３年である。結果で、「＋」は、効果があったことを示し、「＋＋」は良好な効果があったことを示し、「＋＋＋」は著しい効果があったことを示す。
【００４８】
【表１】
0005636127.tif 000002
【００４９】
また、被験者（被施術者）Ｔ１５の毛髪の経時変化を、図１６（ａ）〜（ｃ）を用いて詳細に説明する。この被験者（被施術者）Ｔ１５は、２０１３年８月１２日に一回目の施術を行ったが、図１６（ａ）に示すように、一回目の施術前は、頭頂部が薄く、地肌が見える状態であった。この一回目の施術の後、８月２２日、８月３０日、９月５日、９月１２日、９月１９日、９月２６日、１０月１８日、１０月２４日に施術を行い、合計９回の施術を行った。図１６（ｂ）に、９月２６日における毛髪状態を示した。図１６（ａ）の８月１２日の毛髪状態と比較すると、頭頂部の毛髪が濃くなり、地肌が見えづらくなった。図１６（ｃ）に、１０月２４日における毛髪の状態を示した。図１６（ａ）の８月１２日の毛髪状態、図１６（ｂ）の９月２６日の毛髪状態と比較すると、図１６（ｃ）の１０月２４日では、地肌が殆んど見えなくなるほど、頭頂部の毛髪が増え、毛髪状態が著しく改善されたことがわかる。
【００５０】
また、被験者（被施術者）Ｔ１５だけでなく、表１に示すように、他の被験者（被施術者）についても、毛髪が増加した、ハリが出た、毛髪が太くなった、抜け毛が減少した、ボリュームが出た等、優れた毛髪の改善効果が得られた。以上より、本願が、従来と比較して、優れた発毛育毛の促進効果を有することがわかった。
【００５１】
（実施例２）
以下、実施例２の発毛育毛装置について、図１８を参照して説明する。図１８に示すように、実施例２の発毛育毛装置１００Ａでは、装置本体１０１Ａに第３パルス直流電圧発生部１０９を追加し、第１、第２振動付与部２０Ａ，３０Ａに電極部６０、６１を設けたこと以外は、実施例１の発毛育毛装置１００と同様の基本構成を備えている。そのため、実施例１と同様の構成については、同一の符号を付し、詳細な説明は省略する。発毛育毛装置１００Ａの動作についても、ステップＳ６で振動体への第２パルス直流電圧を供給する際に、さらに該振動体の電極部６０，６１に第３パルス直流電圧を供給すること以外は、実施例１の発毛育毛装置１００の動作と同様であるため、詳細な説明を省略する。
【００５２】
第３パルス直流電圧発生部１０９は、操作部１０２で入力された設定情報に基づいて、制御部１０６の制御により、第３パルス直流電圧を発生させ、第１振動付与部２０Ａの電極部６０と第２振動付与部３０Ａの電極部６１とに供給する。第３パルス直流電圧発生部１０９は、例えば、ゼロ電位の直流電流と、正電位の直流電流とからなる矩形波を発生させて、第３パルス直流電圧を発生させる。第３パルス直流電圧の周波数は、１Ｈｚ〜１００Ｈｚが好ましく、２Ｈｚ〜１４Ｈｚがより好ましい。この第３パルス直流電圧を印加することにより身体に流れる直流電流は、１ｍＡ〜１２ｍＡが好ましい。また、第３パルス直流電圧は、被施術者の体調や好適な電流の強弱に応じて、１Ｖ〜４０Ｖの間で適宜調整することが好ましく、実施例１では、２４Ｖとしている。
【００５３】
電極部６０は、第１振動付与部２０Ａの各振動体２１に設けられ、電極部６１は、第２振動付与部３０Ａの各振動体３１に設けられている。各電極部６０，６１は、各振動体２１，３１を配置した所定のツボに、接触面を介して、第３パルス直流電圧発生部１０９から供給される正極の第３パルス直流電圧を印加して、電気的な振動を付与するものである。したがって、被施術者Ｍの所定のツボには、各振動体２１，３１から、振動子（２４ａ）による機械的な振動と、第３パルス直流電圧を印加による電気的な振動とが付与され、各ツボをより効果的に刺激することができる。また、身体に第３パルス直流電圧を印加することにより、体内のイオンバランスの調和を促すことができ、自然治癒能力を向上させることができる。
【００５４】
また、変形例として、第１、第２振動付与部２０Ａ，３０Ａの電極部６０，６１が、それぞれ正極の電極部と負極の電極部とを有する構成とすることができる。電極部６０の正の電極部および負の電極部を、並びに、電極部６１の正の電極部および負の電極部を、身体の中心軸を介して対称に配置することで、被施術者Ｍの身体に効率的に第３パルス直流電圧を印加することができる。
【００５５】
また、このように正の電極部と負の電極部とを設けた場合に、被施術者Ｍの胴体Ｂのツボに、第１、第２振動付与部２０Ａ，３０Ａの振動体２１，３１を身体の所定位置に配置する際の配置例を説明する。例えば、主系の極性が「正極」、主側が「左主側」の場合、身体の左側の所定位置に正極の電極部を有する振動体を配置し、右側の所定位置に負極の電極部を有する振動体を配置する。一方、主系の極性が「負極」、主側が「左主側」の場合、身体の左側の所定位置に負極の電極部を有する振動体を配置し、右側の所定位置に正極の電極部を有する振動体を配置する。
【００５６】
ここで、電圧の印加により身体に電流を付与することで、血液やリンパ液の循環を促進できることが知られている。しかし、従来の装置では、主として交流式の電圧を印加していることから、極性が短時間で変化するため、被施術者Ｍの体内の変化を促すのに、十分な刺激にならず、血流やリンパの循環の促進効果が十分とは言えなかった。
【００５７】
これに対して、実施例２では、上述のような主系の極性と主側に対応して正極の電極部と負極の電極部を配置して、ゼロ電位と正電位との矩形波からなる第３パルス直流電圧を印加している。したがって、極性が反転することのないパルス直流電圧を印加することで、振動だけでなく、被施術者Ｍの体内の変化を促すのに十分なパルス電流を付与することが可能となる。この良好なパルス電流の付与と身体の状態に応じたツボへの振動の付与との相乗効果により、体内のイオンバランスの調和を促すことができ、自然治癒能力を向上させることができる。その結果、血液やリンパ液の循環を促進することができ、全身の老廃物が体外に排出され易くなるとともに、身体の状態を改善することで、これらをより効果的に持続させることができる。
【００５８】
なお、実施例２では、第１、第２振動付与部２０Ａ，３０Ａのそれぞれの振動体２１，３１に、電極部６０，６１を設けているが、他の異なる実施例として、それぞれの振動体２１，３１に、磁気発生部を設けてもよい。磁気発生部としては、永久磁石や電気磁石等が挙げられる。電気磁石への通電手段として、例えば、第２パルス直流電圧発生部１０８等から供給される第２パルス直流電圧や、第３パルス直流電圧発生部１０９等から供給される第３パルス直流電圧等を用いることもできるし、他の通電手段を用いることもできる。磁気発生部により、ツボの回りに磁場が発生し、身体の血行等が促進されるため、振動との相乗効果で、より効果的に発毛育毛の促進を図ることができる。また、電気磁石を用いた場合、一方の振動体（例えば、２１ａ，３１ａ）の磁気発生部をＳ極とし、他方の振動体（例えば、２１ｂ，３１ｂ）の磁気発生部をＮ極としてもよい。このＳ極の振動体を主側のツボに配置し、Ｎ極の振動体を従側のツボに配置して、一対の振動体間（２１ａと２１ｂ間、３１ａと３１ｂ間）で磁場を発生させることで、身体全体の血行促進を効果的に行うことができる。さらに異なる実施例として、振動子による機械的な振動、電極部による電気的な振動および電流の付与、および、磁気発生部による磁気を、組み合わせて身体に付与するように構成することもでき、相乗効果によって、より効果的な発毛育毛の促進を図ることができる。
【００５９】
また、上記実施例１、実施例２に係る発毛育毛装置１００，１００Ａ用いて、図１７のフローを用いて説明したような手順を用いて発毛育毛エステティック方法を実施することができる。これにより、より効果的な発毛育毛の促進を図ることが可能な発毛育毛エステティック方法を実現することができる。
【００６０】
以上、本発明の実施例および変形例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【符号の説明】
【００６１】
１０  電極ハンマー（直流電圧付与電極）    １１  電極ヘッド
１３  極性切替スイッチ（極性切替手段）    ２０,２０Ａ  第１振動付与部
３０,３０Ａ  第２振動付与部    ２１，３１，２１ａ，２１ｂ，３１ａ，３１ｂ  振動体
２４，２４ａ  振動子    ２５，２５ａ  孔部    ５０  頭頂部
６０，６１  電極部    １００，１００Ａ  発毛育毛装置
１０７  第１パルス直流電圧発生部    １０８  第２パルス直流電圧発生部
１０９  第３パルス直流電圧発生部
Ｂ  胴体    Ｈ  頭部  Ｎ  頸部    Ｍ，Ｔ０１−Ｔ２２  被施術者（被験者）
【要約】
【課題】毛髪の発毛育毛をより効果的に促進することが可能な発毛育毛装置等を提供する。
【解決手段】発毛育毛装置１００を、装置本体１０１、電極ハンマー１０、第１振動付与部２０、第２振動付与部３０、操作部１０２、表示部１０３、電源コード１０４、電源部１０５、制御部１０６、第１パルス直流電圧発生部１０７、第２パルス直流電圧発生部１０８等を備えて構成する。第１、第２振動付与部２０，３０を、被施術者Ｍの所定位置に配置し、第２パルス直流電圧によりその周波数に対応して振動子２４ａを振動させて所定位置に振動を付与しつつ、電極ハンマー１０の電極ヘッド１１を、被施術者Ｍの頭部Ｈおよび頸部Ｎの表面に接触させながら該頭部Ｈおよび頸部Ｎに沿って移動させることで電極ヘッド１１を介して頭部Ｈに正極または負極の第１パルス直流電圧を印加する。
【選択図】図１【図１】
0005636127.tif 000003
【図２Ａ】
0005636127.tif 000004
【図２Ｂ】
0005636127.tif 000005
【図３】
0005636127.tif 000006
【図４】
0005636127.tif 000007
【図５】
0005636127.tif 000008
【図６】
0005636127.tif 000009
【図７】
0005636127.tif 000010
【図８】
0005636127.tif 000011
【図９】
0005636127.tif 000012
【図１０】
0005636127.tif 000013
【図１１】
0005636127.tif 000014
【図１２】
0005636127.tif 000015
【図１３】
0005636127.tif 000016
【図１４】
0005636127.tif 000017
【図１５】
0005636127.tif 000018
【図１６】
0005636127.tif 000019
【図１７】
0005636127.tif 000020
【図１８】
0005636127.tif 000021